(57)【要約】【課題】建設現場への持ち運びが容易であると共に施工性のよい柱型基礎を用い、且つ防火性能及び断熱性能を備えた化粧パネル付き基礎を提供する。【解決手段】鉄筋コンクリート製のベース部と、該ベース部上に立設固定された複数の鋼製の柱型基礎６と、を有し、前記柱型基礎６の外側に防火性能及び断熱性能を有する化粧パネル３０を取り付ける。また、化粧パネル３０は、内側に断熱材３３，３４を有するコンクリート成形板３２又は断熱材３３又は３４を鋼板で包装したフラッシュパネルからなっている。【選択図】            図１
2005023595.tif 000002
【特許請求の範囲】
【請求項１】
鉄筋コンクリート製のベース部と、該ベース部上に立設固定された複数の鋼製の柱型基礎と、を有し、前記柱型基礎の外側に防火性能及び断熱性能を有する化粧パネルを取り付けたことを特徴とする化粧パネル付き基礎。
【請求項２】
前記化粧パネルは、内側に断熱材を有するコンクリート成形板又は断熱材を鋼板で包装したフラッシュパネルであることを特徴とする請求項１に記載の化粧パネル付き基礎。
【請求項３】
前記断熱材は、スチレンフォーム又はフェノールフォームからなることを特徴とする請求項１又は２に記載の化粧パネル付き基礎。
【請求項４】
前記化粧パネルの下部は前記ベース部側に延びており、前記化粧パネルと前記ベース部との間及び前記化粧パネル間にシーリング材を有することを特徴とする請求項１〜３の何れか１項に記載の化粧パネル付き基礎。
【請求項５】
前記化粧パネルは、板状をなしていて前記鋼製の柱型基礎に対して着脱自在であることを特徴とする請求項１〜４の何れか１項に記載の化粧パネル付き基礎。
【発明の詳細な説明】
【０００１】
【発明の属する技術分野】
本発明は、建物の基礎に取り付けられる化粧パネルを備えた化粧パネル付き基礎に関するものである。
【０００２】
【従来の技術】
従来、建物（例えばユニット建物）用の基礎として、（ａ）建物の建設現場で鉄筋コンクリートにより造る方式、いわゆるＲＣ造りがあった（例えば、特許文献１参照）。また、（ｂ）建物用基礎を工場で予め製造して、建設現場で基礎を組み立てる方式、いわゆるＰＣ基礎（プレキャストコンクリート基礎）があった。なお、この他に従前の基礎に関するものが知られている（例えば、特許文献２参照）。
【０００３】
【特許文献１】
特願２００２ー１３７２９５号  明細書
【特許文献２】
特開２００１−４９６７５号  公報（段落００２５〜段落００４７、図１）
【０００４】
【発明が解決しようとする課題】
しかしながら、前記（ａ）のＲＣ造り基礎においては、基礎の側面にヘアクラックが発生したり、施工バラツキが発生したりする問題があると共に、湿式施工であるために建設現場における施工期間が長いという問題があった。
【０００５】
また、（ｂ）のＰＣ基礎においては、ＰＣ基礎がコンクリート板又はＰＣ板であるために重く、これを建設現場に運ぶためにレッカー作業が必要である問題があった。
【０００６】
本発明は、建設現場への持ち運びが容易であると共に施工性のよい柱型基礎を用い、且つ防火性能及び断熱性能を備えた化粧パネル付き基礎を提供することを目的とするものである。
【０００７】
【課題を解決するための手段】
本発明は、上述事情に鑑みなされたものであって、請求項１に記載の発明は、鉄筋コンクリート製のベース部と、該ベース部上に立設固定された複数の鋼製の柱型基礎と、を有し、前記柱型基礎の外側に防火性能及び断熱性能を有する化粧パネルを取り付けたことを特徴としている。
【０００８】
このように構成された請求項１の発明では、建物用基礎としてコンクリート製のベース部に立設固定された複数の鋼製の柱型基礎を用いたので、製造工場から建設現場への柱型基礎の持ち運びが容易で施工期間が短縮される。また、建設現場において柱型基礎に取り付けられた化粧パネルが防火性能及び断熱性能を有するので、基礎内部及び基礎上の建物の防火及び断熱を行うことができる。
【０００９】
また、請求項２に記載の発明は、前記化粧パネルは、内側に断熱材を有するコンクリート成形板又は断熱材を鋼板で包装したフラッシュパネルであることを特徴としている。
【００１０】
このように構成された請求項２の発明では、化粧パネルが、断熱性能を有する断熱材と防火性能を有するコンクリート成形板とを一体化したもの、又は断熱材を鋼板で包んで一体化したフラッシュパネルからなっているので、建物用基礎の施工性がよく且つ施工期間が短縮される。
【００１１】
また、請求項３に記載の発明は、前記断熱材は、スチレンフォーム又はフェノールフォームからなることを特徴としている。
【００１２】
このように構成された請求項３の発明では、断熱材がスチレンフォーム又はフェノールフォーム等からなっているので、化粧パネルを軽量化することができ、化粧パネルの運搬及び取り付け施工の容易化を実現することができる。
【００１３】
また、請求項４に記載の発明は、前記化粧パネルの下部は前記ベース部側に延びており、前記化粧パネルと前記ベース部との間及び前記化粧パネル間にシーリング材を有することを特徴としている。
【００１４】
このように構成された請求項４の発明では、化粧パネルとベース部間及び化粧パネル間をシーリング材によりシールしているので、基礎上の建物の気密性を保持することができる。
【００１５】
また、請求項５の発明では、前記化粧パネルは、板状をなしていて前記鋼製の柱型基礎に対して着脱自在であることを特徴としている。
【００１６】
このように構成された請求項５の発明では、柱型基礎に取り付けられる化粧パネルは、鋼製の柱型基礎とは別に持ち運びが容易にでき、且つ化粧パネルが板状をなしているため化粧パネルを積み重ねた状態で製造工場から建設現場へ効率よく搬送させることができる。
【００１７】
【発明の実施の形態】
以下、本発明の実施の形態を図面に沿って説明する。
【００１８】
図１（ａ）は複数の建物ユニット１を組み立ててユニット建物２を構成した図を示している。図１（ａ）のＡ部はユニット建物２の出隅部平面、Ｂ部は継ぎ部平面、Ｃ部は防振ジョイント部平面であって、その詳細は図１（ｂ）に示されている。
【００１９】
建物ユニット１は、図２に示すように４本の柱３の上部に天井梁４をそれぞれ結合し、柱３の下部に床梁５をそれぞれ結合したものから構成されている。
【００２０】
図１（ａ）のＡ部（出隅部）には、図１（ｂ）及び図３に示すように鋼製の柱型基礎６が配置されている。この柱型基礎６は、立上部７の上部の直交方向と下部の直交方向にジョイントピース８及び９をそれぞれ有している。さらに柱型基礎６の立上部７の底部にはベースプレート１０が固定されている。
【００２１】
図３に示すように、上記柱型基礎６のベースプレート１０は、取付穴１１において、コンクリート製のベース部１２に図示しない基礎ボルトにより取り付けられている。
【００２２】
上記柱型基礎６のジョイントピース８には、ボルト穴１３の位置において建物ユニット１の床梁５が剛接合される。図１（ａ）におけるＢ部（継ぎ部）には、上記のように構成された柱型基礎６が隣設してそれぞれ配設されている。
【００２３】
また、Ｃ部（防振ジョイント部）には防振ジョイント柱１４が配設されており、この防振ジョイント柱１４は、立上部１５の上部に設けられたジョイントピース１６を有している。
【００２４】
この防振ジョイント柱１４は、立上部１５の下部に取り付けられているベースプレート１７をコンクリート製のベース部１２（図３参照）に取り付けて支持されている。
【００２５】
図３、図４において、柱型基礎６の上側のジョイントピース８には、上梁１９の一端がボルト２０により取り付けられており、この上梁１９の他端は他方の柱型基礎６のジョイントピース８に取り付けられている。また、柱型基礎６の下側のジョイントピース９には、下梁２１の一端がボルト２２により取り付けられており、下梁２１の他端は上梁１９に取り付けられている。
【００２６】
前述したコンクリート製のベース部１２は、図６に示すように鋼製のベース筋２３及びベース補強筋２４がそれぞれ埋設されている。このベース部１２の外周には、側壁２５と連続する段部２６が形成されている。そして、ベース部１２の下部には、割栗石２７が配置されている。なお、符号２８は地盤を示している。
【００２７】
上記のように構成されている柱型基礎６及び防振ジョイント柱１４の外側には、図１（ｂ）、図４、図６に示すように目隠しとしての化粧パネル３０が配置されている。
【００２８】
この化粧パネル３０は、ボルト３１（図１（ｂ）参照）により立上部７に取り付けられている。なお、化粧パネル３０の下部３１は、図６に示すようにベース部１２の段部２６まで延びていて地盤２８内に埋没されている。
【００２９】
図１（ｂ）において、上記化粧パネル３０はコンクリート成形板３２の内側に、断熱材としてのスチレンフォーム３３とフェノールフォーム３４とを配設したものからなっている。ただし、上記フェノールフォーム３４は、柱型基礎６及び防振ジョイント柱１４に対応する位置にそれぞれ配設されている。
【００３０】
なお、本実施例においては、化粧パネル３０はスチレンフォーム３３、フェノールフォーム３４を有するコンクリート成形板３２から構成したものを示しているが、図５に示すように鋼板３５により断熱材としてのスチレンフォーム３３又はスチレンフォーム３３を上記鋼板３５により包んでフラッシュパネル３８を構成したものであってもよい。この場合、立上部７及び化粧パネル３０間には、気密パッキン３５ａが配設されている。
【００３１】
上述したように、ベース部１２に設けられる基礎を鋼製の柱型基礎６としたことにより、柱型基礎６を製造工場からユニット建物２の建設現場へ容易に持ち運びすることができ、基礎施工の施工期間を短縮することができる。
【００３２】
そして、柱型基礎６の周囲は防火性能及び断熱性能を有する化粧パネル３０により目隠しされているので、基礎内の防火及び断熱、ひいてはユニット建物２の防火、断熱を実現することができる。
【００３３】
また、化粧パネル３０はコンクリート成形板３２（又は鋼板３５）とスチレンフォーム３３、フェノールフォーム３４とを一体化したものからなっているので、化粧パネル３０の運搬が容易である。
【００３４】
さらに、防火性能と機能するコンクリート成形板３２（鋼板３５）及び断熱性能として機能するスチレンフォーム３３、フェノールフォーム３４の取り付けの施工時間を短縮することができる。
【００３５】
上記化粧パネル３０間には、図１（ｂ）及び図５に示すように外側からシーリング材３６及びバックアップ材３７がそれぞれ配設されている。また、図６に示す化粧パネル３０の下部３１と側壁２５及び段部２６間にもシーリング材３６が配設されている。
【００３６】
このように、化粧パネル３０間及び化粧パネル３０とベース部１２間をシールすることにより、鋼製の柱型基礎６内の気密ひいてはユニット建物２の気密を保持することができる。
【００３７】
図６は、上述の柱型基礎６上に一般床を有する建物ユニット１を取り付けた例を示し、図７は図６のＥ部を示している。
【００３８】
図６、図７において、柱型基礎６上の床梁５及びこの床梁５に取り付けられた支持板４０上には外壁４１及び内壁４２が支持されており、さらに上記支持板４０には一般床４３が支持されている。
【００３９】
上記外壁４１の外側には外装仕上材４４が取り付けられ、内壁４２の内側にはせっこうボード４５が取り付けられている。
【００４０】
図７に示すように、フラッシュパネルからなる化粧パネル３０の上部及び床梁５間には気密テープ４６が貼付されている。また、床梁５と外装仕上材４４間には気密テープ４７が、そして一般床４３とせっこうボード４５との角隅部には気密テープ４８がそれぞれ貼付されている。
【００４１】
前述したように化粧パネル３０により基礎断熱された柱型基礎６上に、上記のように一般床４３を有する建物ユニット１を取り付け、さらに気密テープ４６、気密テープ４７、気密テープ４８等により気密することにより、建物ユニット１を外部の湿気から保護することができる。
【００４２】
図８は、上述の柱型基礎６上の落とし込み床を有する建物ユニット１を取り付けた例を示し、図９は図８のＦ部を示している。なお、図６及び図７と同一のものは同一符号を付してその説明を省略する。
【００４３】
図８、図９において、柱型基礎６上の床梁５には支持板５０が取り付けられ、この支持板５０にはさらに支持板５１が取り付けられている。支持板５０には、落とし込み床５２が取り付けられている。
【００４４】
床梁５上の外壁４１の外側には外装仕上材４４が取り付けられている。内側に一般床４３を有する内壁４２は支持板５１に取り付けられている。
【００４５】
化粧パネル３０により基礎断熱された柱型基礎６上に、上記のように落とし込み床５２を有する建物ユニット１を取り付け、さらに気密テープ４６、気密テープ４７等により気密することにより、建物ユニット１を外部の湿気から保護することができる。
【００４６】
【発明の効果】
以上説明したように、請求項１に関わる発明によれば、建物用基礎をコンクリート製のベース部に立設固定された複数の鋼製の柱型基礎を用いたので、基礎の製造工場から建設現場への柱型基礎の持ち運びが容易で施工期間が短縮される。また、柱型基礎に取り付けられた化粧パネルが防火性能及び断熱性能を有するので、基礎内部及び基礎上の建物の防火及び断熱を行うことができる。
【００４７】
また、請求項２に関わる発明によれば、化粧パネルが、断熱性能を有する断熱材と防火性能を有するコンクリート成形板とを一体化したもの、又は断熱材を鋼板で包んで一体化したフラッシュパネルからなっているので、建物用基礎の施工性がよく且つ施工期間が短縮される。
【００４８】
また、請求項３に関わる発明によれば、断熱材がスチレンフォーム又はフェノールフォーム等からなっているので、化粧パネルを軽量化することができ、化粧パネルの運搬及び取り付け施工の容易化を実現することができる。
【００４９】
また、請求項４に関わる発明によれば、化粧パネルとベース部間及び化粧パネル間をシーリング材によりシールしているので、基礎上の建物の気密性を保持することができる。
【００５０】
また、請求項５に関わる発明によれば、柱型基礎に取り付けられる化粧パネルは、鋼製の柱型基礎とは別に持ち運びが容易にでき、且つ化粧パネルが板状をなしているため化粧パネルを積み重ねた状態で製造工場から建設現場へ効率よく搬送させることができる。
【図面の簡単な説明】
【図１】（ａ）図は本発明の実施の形態に関わる化粧パネル付き基礎が適用されるユニット建物の平面図、（ｂ）図は（ａ）図のＡ部、Ｂ部、Ｃ部におけるユニット建物の柱型基礎及び化粧パネルの一部横断した平面図を示している。
【図２】ユニット建物を構成する建物ユニットの斜視図である。
【図３】図１（ａ）のＡ部における鋼製の柱型基礎の斜視図である。
【図４】図１（ａ）のＢ部における鋼製の柱型基礎及び化粧パネルの斜視図である。
【図５】図４のＤ−Ｄ線断面矢視図である。
【図６】化粧パネルが取付られた柱型基礎及び一般床付きの建物ユニットの側面図である。
【図７】図６のＥ部の拡大図である。
【図８】化粧パネルが取付られた柱型基礎及び落とし込み床付きの建物ユニットの側面図である。
【図９】図８のＦ部の拡大図である。
【符号の説明】
６                  柱型基礎
１２        ベース部
３０        化粧パネル
３２        コンクリート成形板
３３        スチレンフォーム
３４        フェノールフォーム
３５        鋼板
３６        シーリング材
３８        フラッシュパネル
【図１】
2005023595.tif 000003
【図２】
2005023595.tif 000004
【図３】
2005023595.tif 000005
【図４】
2005023595.tif 000006
【図５】
2005023595.tif 000007
【図６】
2005023595.tif 000008
【図７】
2005023595.tif 000009
【図８】
2005023595.tif 000010
【図９】
2005023595.tif 000011